(57)【要約】 【課題】  本発明は、既に算出された受信制御情報を有効に活用して特定のタイムスロットで用いる受信制御情報の精度を高めることができる。【解決手段】  受信ウェイトベクトル算出部２３は、特定のタイムスロットで特定の無線端末により送信された信号を受信するときに、特定の無線端末により送信された信号を特定のタイムスロットよりも前のタイムスロットで受信していた場合には、前のタイムスロットで既に算出された特定の無線端末の受信制御情報のうち最新の受信制御情報に基づいて、特定のタイムスロットで用いる受信制御情報を算出する。【選択図】      図１
2006287615.tif 000002
【特許請求の範囲】
【請求項１】
複数の受信アンテナで受信した信号に基づいて、複数の無線端末のうちの特定の無線端末により送信された信号を抽出するための受信制御情報を算出する無線基地局であって、
特定のタイムスロットで前記特定の無線端末により送信された信号を受信するときに、該特定の無線端末により送信された信号を該特定のタイムスロットよりも前のタイムスロットで受信していた場合には、該前のタイムスロットで既に算出された前記特定の無線端末の前記受信制御情報のうち最新の前記受信制御情報に基づいて、前記特定のタイムスロットで用いる前記受信制御情報を算出することを特徴とする無線基地局。
【請求項２】
前記受信制御情報は、複数の無線端末のうちの特定の無線端末により送信された信号を抽出するための受信ウェイトベクトルであることを特徴とする請求項１に記載の無線基地局。
【請求項３】
前記受信制御情報は、前記複数のアンテナにより受信された信号の同期位置であることを特徴とする請求項１に記載の無線基地局。
【請求項４】
前記受信制御情報は、前記複数のアンテナにより受信された信号の周波数オフセットであることを特徴とする請求項１に記載の無線基地局。
【請求項５】
前記前のタイムスロットは、前記特定のタイムスロットが属する特定のフレームに属することを特徴とする請求項１に記載の無線基地局。
【請求項６】
前記前のタイムスロットは、前記特定のタイムスロットが属する特定のフレームよりも前のフレームに属することを特徴とする請求項１に記載の無線基地局。
【請求項７】
複数の受信アンテナで受信した信号に基づいて、複数の無線端末のうちの特定の無線端末により送信された信号を抽出するための受信制御情報を算出する無線基地局を用いた受信制御情報算出処理方法であって、
特定のタイムスロットで前記特定の無線端末により送信された信号を受信するときに、該特定の無線端末により送信された信号を該特定のタイムスロットよりも前のタイムスロットで受信していた場合には、該前のタイムスロットで既に算出された前記特定の無線端末の前記受信制御情報のうち最新の前記受信制御情報に基づいて、前記特定のタイムスロットで用いる前記受信制御情報を算出することを特徴とする受信制御情報算出処理方法。
【請求項８】
前記受信制御情報は、複数の無線端末のうちの特定の無線端末により送信された信号を抽出するための受信ウェイトベクトルであることを特徴とする請求項７に記載の受信制御情報算出処理方法。
【請求項９】
前記受信制御情報は、前記複数のアンテナにより受信された信号の同期位置であることを特徴とする請求項７に記載の受信制御情報算出処理方法。
【請求項１０】
前記受信制御情報は、前記複数のアンテナにより受信された信号の周波数オフセットであることを特徴とする請求項７に記載の受信制御情報算出処理方法。
【請求項１１】
前記前のタイムスロットは、前記特定のタイムスロットが属する特定のフレームに属することを特徴とする請求項７に記載の受信制御情報算出処理方法。
【請求項１２】
前記前のタイムスロットは、前記特定のタイムスロットが属する特定のフレームよりも前のフレームに属することを特徴とする請求項７に記載の受信制御情報算出処理方法。
【請求項１３】
複数の受信アンテナで受信した信号に基づいて、複数の無線端末のうちの特定の無線端末により送信された信号を抽出するための受信制御情報を算出する無線基地局で動作する受信制御情報算出用プログラムであって、
特定のタイムスロットで前記特定の無線端末により送信された信号を受信するときに、該特定の無線端末により送信された信号を該特定のタイムスロットよりも前のタイムスロットで受信していた場合には、該前のタイムスロットで既に算出された前記特定の無線端末の前記受信制御情報のうち最新の前記受信制御情報に基づいて、前記特定のタイムスロットで用いる前記受信制御情報を算出することを特徴とする受信制御情報算出用プログラム。
【請求項１４】
前記受信制御情報は、複数の無線端末のうちの特定の無線端末により送信された信号を抽出するための受信ウェイトベクトルであることを特徴とする請求項１３に記載の受信制御情報算出用プログラム。
【請求項１５】
前記受信制御情報は、前記複数のアンテナにより受信された信号の同期位置であることを特徴とする請求項１３に記載の受信制御情報算出用プログラム。
【請求項１６】
前記受信制御情報は、前記複数のアンテナにより受信された信号の周波数オフセットであることを特徴とする請求項１３に記載の受信制御情報算出用プログラム。
【請求項１７】
前記前のタイムスロットは、前記特定のタイムスロットが属する特定のフレームに属することを特徴とする請求項１３に記載の受信制御情報算出用プログラム。
【請求項１８】
前記前のタイムスロットは、前記特定のタイムスロットが属する特定のフレームよりも前のフレームに属することを特徴とする請求項１３に記載の受信制御情報算出用プログラム。
【発明の詳細な説明】
【技術分野】
【０００１】
本発明は、複数の受信アンテナで受信した信号に基づいて、複数の無線端末のうちの特定の無線端末により送信された信号を抽出するための受信ウェイトベクトルを算出する無線基地局、受信制御情報算出処理方法及び受信制御情報算出用プログラムに関する。
【背景技術】
【０００２】
近年における移動体通信システム（例えば、Personal Handyphone System）では、無線基地局は、無線基地局に対して空間多重接続している複数の無線端末のうち、アダプディブアレイ技術により特定の無線端末からの受信信号を分離・抽出している。
【０００３】
アダプティブアレイ技術とは、無線基地局の複数の受信アンテナを介して受信した信号に基づいて、受信アンテナ毎のウェイトからなる受信ウェイトベクトルを算出して適応制御することにより、特定の無線端末からの受信信号を分離・抽出する周知の技術である。
【０００４】
また、無線基地局は、既に算出された受信ウェイトベクトルを用いて、無線基地局から特定の無線端末に対して送信する送信信号の送信ウェイトベクトルを算出している。
【０００５】
図７を参照して、従来の無線基地局が特定の無線端末に対する受信ウェイトベクトル及び送信ウェイトベクトルを算出する処理について簡単に説明する。
【０００６】
図７は、無線基地局が複数のタイムスロット（例えば、斜線部分のＲ１，Ｒ３，Ｔ１，Ｔ４）を用いて特定の無線端末（既に送受信を実行した同一の無線端末）との間で信号を送受信する例を示している。図７に示すように、無線基地局が上り回線の複数の受信用タイムスロット（例えば、Ｒ１，Ｒ３）で特定の無線端末からの信号を受信する場合には、無線基地局は、受信用タイムスロット毎（例えば、Ｒ１，Ｒ３毎）に受信ウェイトベクトルを算出している。
【０００７】
また、無線基地局が特定の無線端末に対して送信用タイムスロット（例えば、Ｔ１）で送信信号を送信する場合には、無線基地局は、上り回線の受信用タイムスロット（例えば、Ｒ１）で算出された受信ウェイトベクトルを用いて、その受信用タイムスロットに対応する下り回線の送信用タイムスロット（例えば、Ｔ１）で用いる送信ウェイトベクトルを算出している（図中の矢印を参照）。
【特許文献１】国際公開ＷＯ００／０７９７０２号
【発明の開示】
【発明が解決しようとする課題】
【０００８】
しかしながら、上記無線基地局は、受信ウェイトベクトルを含む受信制御情報を受信用タイムスロット毎に算出しているため、各受信用タイムスロットにおいて受信制御情報の精度を高めることができなかった。
【０００９】
具体的には、上記無線基地局は、ある受信用タイムスロット（例えば、Ｒ１）において既に算出された受信制御情報を所定フレーム内に属する他の受信用タイムスロット（例えば、Ｒ２）でも共用して用いていない。このため、上記無線基地局は、既に算出された最新の受信制御情報を有効に活用して特定のタイムスロットで用いる受信制御情報の精度を高めることができなかった。
【００１０】
そこで、本発明は以上の点に鑑みてなされたものであり、既に算出された受信制御情報を有効に活用して特定のタイムスロットで用いる受信制御情報の精度を高めることができる無線基地局、受信制御情報算出処理方法及び受信制御情報算出用プログラムを提供することを目的とする。
【課題を解決するための手段】
【００１１】
本発明は、上記課題を解決するために、複数の受信アンテナで受信した信号に基づいて、複数の無線端末のうちの特定の無線端末により送信された信号を抽出するための受信制御情報を算出する無線基地局であって、特定のタイムスロットで特定の無線端末により送信された信号を受信するときに、特定の無線端末により送信された信号を特定のタイムスロットよりも前のタイムスロットで受信していた場合には、前のタイムスロットで既に算出された特定の無線端末の受信制御情報のうち最新の受信制御情報に基づいて、特定のタイムスロットで用いる受信制御情報を算出することを特徴とする。
【００１２】
このような本発明の特徴によれば、特定のタイムスロットよりも前のタイムスロットで既に算出された特定の無線端末の受信制御情報のうち最新の受信制御情報を特定のタイムスロットでも共用することができるため、当該最新の受信制御情報を用いて特定のタイムスロットで用いる受信制御情報の精度を高めることができる。
【００１３】
上記発明においては、受信制御情報は、複数の無線端末のうちの特定の無線端末により送信された信号を抽出するための受信ウェイトベクトルでもよい。
【００１４】
上記発明においては、受信制御情報は、複数のアンテナにより受信された信号の同期位置でもよい。
【００１５】
上記発明においては、受信制御情報は、複数のアンテナにより受信された信号の周波数オフセットでもよい。
【００１６】
上記発明においては、前のタイムスロットは、特定のタイムスロットが属する特定のフレームに属してもよい。
【００１７】
上記発明においては、前のタイムスロットは、特定のタイムスロットが属する特定のフレームよりも前のフレームに属してもよい。
【発明の効果】
【００１８】
本発明によれば、既に算出された受信制御情報を有効に活用して特定のタイムスロットで用いる受信制御情報の精度を高めることができる。
【発明を実施するための最良の形態】
【００１９】
（無線基地局の構成）
本実施形態における無線基地局について図面を参照しながら説明する。図１は、本実施形態における無線基地局１００を示す図である。
【００２０】
図１に示すように、無線基地局１００は、アンテナ１１ａ，１１ｂと、ＲＦ１２ａ，１２ｂと、Ａ／Ｄ１３ａ，１３ｂと、スイッチ１４ａ，１４ｂと、受信系統Ｒ１と、送信系統Ｔ１とを備えている。
【００２１】
本実施形態では、複数の無線端末のうちの特定の無線端末により送信された信号が分離・抽出されるために、２本のアンテナ１１ａ，１１ｂが備えられている。但し、アンテナの本数はＮ本（Ｎ；自然数）であってもよい。
【００２２】
アンテナ１１ａ，１１ｂと、受信系統Ｒ１及び送信系統Ｔ１との接続は、スイッチ１４ａ，１４ｂにより選択的に切替えられる。
【００２３】
受信系統Ｒ１は、乗算部２１ａ1，２１ａ2と、加算部２２と、受信ウェイトベクトル算出部２３と、メモリ２４とを備えている。
【００２４】
乗算部２１ａ1は、ＲＦ１２ａ、Ａ／Ｄ１３ａ及びスイッチ１４ａを介してアンテナ１１ａに接続されており、アンテナ１１ａ介して受信された受信信号ｘ１（ｔ）と、受信ウェイトベクトル算出部２３により算出された受信ウェイトベクトルｗr1（ｔ）とを乗算して加算部２２に出力する。
【００２５】
同様にして、乗算部２１ａ2は、ＲＦ１２ｂ、Ａ／Ｄ１３ｂ及びスイッチ１４ｂを介してアンテナ１１ｂに接続されており、アンテナ１１ｂ介して受信された受信信号ｘ２（ｔ）と、受信ウェイトベクトル算出部２３により算出された受信ウェイトベクトルｗr2（ｔ）とを乗算して加算部２２に出力する。
【００２６】
加算部２２は、重み付けされた受信信号ｗr1（ｔ）・ｘ１（ｔ）と受信信号ｗr2（ｔ）・ｘ2（ｔ）とを合成した後に、特定の無線端末（図示せず）により送信された送信信号ｙ（ｔ）であると推定して出力する。
【００２７】
受信ウェイトベクトル算出部２３は、ＲＬＳ（Recursive Least-Squares）アルゴリズムやＳＭＩ（Sample Matrix Inversion）アルゴリズムなどを用いて、現在使用しているタイムスロットで用いる受信ウェイトベクトルを算出する。このようなＲＬＳアルゴリズムやＳＭＩアルゴリズムは、アダプティブアレイ技術の処理では周知の技術であり、例えば菊間信良著の「アレーアンテナによる適応信号処理」（科学技術出版）に詳細に説明されているため、ここではその説明を省略する。
【００２８】
ここで、図２は、フレーム（第１フレーム乃至第４フレーム）のそれぞれにおける４つの受信用タイムスロット（Ｒ１、Ｒ２、Ｒ３、Ｒ４）、及び４つの送信用タイムスロット（Ｔ１、Ｔ２、Ｔ３、Ｔ４）を示す図である。
【００２９】
図２に示すように、本実施形態における受信ウェイトベクトル算出部２３は、特定のタイムスロット（例えば、図２に示すＲ３）で特定の無線端末により送信された信号を受信するときに、特定の無線端末により送信された信号を特定のタイムスロット（例えば、図２に示すＲ３）よりも前のタイムスロット（例えば、図２に示すＲ１）で受信していた場合には、前のタイムスロット（例えば、図２に示すＲ１）で既に算出された特定の無線端末の受信制御情報のうち最新の受信制御情報に基づいて、特定のタイムスロット（例えば、図２に示すＲ３）で用いる受信制御情報を算出する（図２中の点線の矢印参照）。
【００３０】
なお、本実施形態では、上記前のタイムスロット（例えば、図２に示すＲ１）は、上記特定のタイムスロット（例えば、図２に示すＲ３）が属する特定のフレーム（例えば、図２に示す第２フレーム）に属したり、特定のタイムスロット（例えば、図２に示すＲ３）が属する特定のフレーム（例えば、図２に示す第２フレーム）よりも前のフレーム（例えば、図２に示す第１フレーム）に属している。
【００３１】
メモリ３３は、複数の無線端末のうちの特定の無線端末により送信された信号を抽出するための受信制御情報を記憶するものである。この受信制御情報には、アンテナ１１ａ，１１ｂにより受信された信号の特定の無線端末の同期位置、アンテナ１１ａ，１１ｂにより受信された信号の特定の無線端末の周波数オフセット、複数の無線端末のうちの特定の無線端末により送信された信号を抽出するための受信ウェイトベクトルなどが含まれている。
【００３２】
送信系統Ｔ１は、乗算部３１ａ1，３１ａ2と、送信ウェイトベクトル算出部３２とを備えている。
【００３３】
乗算部３１ａ1は、ＲＦ１２ａ，１２ｂ、Ａ／Ｄ１３ａ，１３ｂ及びスイッチ１４ａ，１４ｂを介して接続されており、特定の無線端末に対して送信する送信信号ｘ３（ｔ）と、送信ウェイトベクトル算出部３２により算出された送信ウェイトベクトルｗｔ1（ｔ）とを乗算して、スイッチ１４ａ、Ａ／Ｄ１３ａ及びＲＦ１２ａを介してアンテナ１１ａに出力する。同様にして、乗算部３１ａ1は、特定の無線端末に対して送信する送信信号ｘ３（ｔ）と、送信ウェイトベクトル算出部３２により算出された送信ウェイトベクトルｗｔ2（ｔ）とを乗算して、スイッチ１４ｂ、Ａ／Ｄ１３ｂ及びＲＦ１２ｂを介してアンテナ１１ｂに出力する。
【００３４】
送信ウェイトベクトル算出部３２は、受信ウェイトベクトル算出部２３により既に算出された受信ウェイトベクトルに基づいて、現在使用している送信用タイムスロットで用いる送信ウェイトを算出する。送信ウェイトベクトルの算出処理は、例えば国際公開番号ＷＯ００／７９７０２号に詳細に説明されている。このため、ここではその説明を省略する。
【００３５】
本実施形態における送信ウェイトベクトル算出部３２は、特定のタイムスロット（例えば、図２に示すＴ１）で特定の無線端末に対して信号を送信するときに、特定の無線端末により送信された信号を特定のタイムスロット（例えば、図２に示すＴ１）よりも前のタイムスロット（例えば、図２に示すＲ３）で受信していた場合には、前のタイムスロット（例えば、図２に示すＲ３）で既に算出された特定の無線端末の受信ウェイトベクトルのうち最新の受信ウェイトベクトルに基づいて、特定の無線端末への指向性を有する信号を生成するための送信ウェイトベクトルを算出する（図２中の実線の矢印を参照）。
【００３６】
（無線基地局の動作）
以下において、無線基地局の動作（送信ウェイトベクトル算出処理方法）について図面を参照しながら説明する。図３は、本実施形態における無線基地局１００の動作を示す図である。
【００３７】
図３に示すように、Ｓ１０１において、無線基地局１００は、特定のタイムスロットで現在通信を実行している無線端末が既に送受信を実行した無線端末と同一であるか否か判定する。具体的には、無線基地局１００は、特定のタイムスロットで受信した受信信号に基づいて、既に送受信を実行した無線端末を識別するための識別子が受信信号に含まれているか否か判定する。
【００３８】
Ｓ１０２において、無線基地局１００は、既に送受信を実行した無線端末を識別するための識別子が受信信号に含まれている場合にはＳ１０３の処理に移り、当該識別子が受信信号に含まれていない場合にはＳ１０６の処理に移る。
【００３９】
Ｓ１０３において、無線基地局１００は、特定のタイムスロット（現在のタイムスロット）が受信用タイムスロットである場合にはＳ１０４の処理に移り、特定のタイムスロット（現在のタイムスロット）が受信用タイムスロットでない場合にはＳ１０５の処理に移る。
【００４０】
Ｓ１０４において、無線基地局１００は、特定のタイムスロットよりも前のタイムスロットで既に算出された最新の受信制御情報に基づいて、特定のタイムスロットで用いる受信制御情報を算出する。
【００４１】
ここで、図４及び図５は、特定のタイムスロットよりも前のタイムスロットで既に算出された最新の受信制御情報を初期値にして、特定のタイムスロットで用いる受信制御情報及び送信ウェイトベクトルが更新される様子を示す図である。図４及び図５における矢印の左側は、最新の受信制御情報又は最新の送信ウェイトベクトルを示し、矢印の右側は、最新の受信制御情報又は最新の送信ウェイトベクトルを初期値にして算出された受信制御情報又は送信ウェイトベクトルを示している。
【００４２】
例えば、無線基地局１００は、現在のタイムスロット（図２及び図５に示す受信用タイムスロットＲ３）が属する特定のフレーム（図２及び図５に示す第２フレーム）において、現在のタイムスロット（図２及び図５に示す受信用タイムスロットＲ３）よりも前のタイムスロット（図２及び図５に示す受信用タイムスロットＲ１）で既に算出された最新の受信制御情報（図５に示すＲ１に対応するａ21、ｂ21、ｃ21）がある場合には、その最新の受信制御情報を初期値にして現在のタイムスロットで用いる受信制御情報（図５に示すＲ３に対応するａ22、ｂ22、ｃ22）を算出する。
【００４３】
但し、無線基地局１００は、現在のタイムスロット（図２及び図５に示す受信用タイムスロットＲ１）が属する特定のフレーム（図２及び図５に示す第２フレーム）よりも前のフレーム（図２及び図４に示す第１フレーム）において、既に算出された各受信制御情報が略等しい場合（図４に示す第１フレーム内のＲ１に対応するａ11、ｂ11、ｃ11の受信制御情報≒図４に示す第１フレーム内のＲ３に対応するａ12、ｂ12、ｃ12の受信制御情報）には、各受信制御情報のうちの最新の受信制御情報（図４に示す第１フレーム内のＲ３に対応するａ12、ｂ12、ｃ12の受信制御情報）を初期値にして、現在のタイムスロットで用いる受信制御情報（図５に示す第２フレーム内のＲ１に対応するａ21、ｂ21、ｃ21の受信制御情報）を算出する。
【００４４】
Ｓ１０５において、無線基地局１００は、特定のタイムスロットよりも前のタイムスロットで既に算出された最新の受信ウェイトベクトルに基づいて、特定のタイムスロットで用いる送信ウェイトベクトルを算出する。
【００４５】
例えば、無線基地局１００は、現在のタイムスロット（ここでは図２及び図５に示す送信用タイムスロットＴ１）が属する特定のフレーム（ここでは図２及び図５に示す第２フレーム）において、現在のタイムスロット（ここでは図２及び図５に示す送信用タイムスロットＴ１）よりも前のタイムスロット（ここでは図２及び図５に示す受信用タイムスロットＲ３）で既に算出された最新の受信ウェイトベクトル（図５に示すＲ３に対応するｃ22）がある場合には、その最新の受信ウェイトベクトルを初期値にして現在のタイムスロットで用いる送信ウェイトベクトル（図５に示すＴ１に対応するｆ21）を算出する。
【００４６】
Ｓ１０６において、無線基地局１００は、特定のタイムスロットよりも前のタイムスロットで既に算出された最新の受信制御情報を初期値として設定せずに、特定のタイムスロットで用いる受信制御情報及び送信ウェイトベクトルを算出する。
【００４７】
なお、図６に示すように、無線基地局１００は、現在のタイムスロット（第１フレーム内のＴ１）よりも前のタイムスロット（第１フレーム内のＲ４）で受信制御情報が既に算出されている場合には、それを最新の受信制御情報として特定する。一方、無線基地局１００は、現在のタイムスロット（第１フレーム内のＴ１）よりも前のタイムスロット（第１フレーム内のＲ４）で受信制御情報が未だ算出されていない場合には、それよりも更に前のタイムスロット（第１フレーム内のＲ３）で受信制御情報が既に算出されている場合には、それを最新の受信制御情報として特定する。
【００４８】
（作用及び効果）
このような本発明の特徴によれば、特定のタイムスロットよりも前のタイムスロットで既に算出された特定の無線端末の受信制御情報のうち最新の受信制御情報を特定のタイムスロットでも共用することができるため、当該最新の受信制御情報を用いて特定のタイムスロットにおける受信制御情報や、送信ウェイトベクトルの精度を高めることができる。
【００４９】
なお、上記無線基地局において動作するプログラムは、特定のタイムスロットで特定の無線端末に対して信号を送信するときに、特定の無線端末により送信された信号を特定のタイムスロットよりも前のタイムスロットで受信していた場合には、前のタイムスロットで既に算出された特定の無線端末の受信ウェイトベクトルのうち最新の受信ウェイトベクトルに基づいて、特定の無線端末への指向性を有する信号を生成するための送信ウェイトベクトルを算出する送信ウェイト算出部としての機能を有する。
【００５０】
また、上記プログラムは、特定のタイムスロットで特定の無線端末により送信された信号を受信するときに、特定の無線端末により送信された信号を特定のタイムスロットよりも前のタイムスロットで受信していた場合には、前のタイムスロットで既に算出された特定の無線端末の受信制御情報のうち最新の受信制御情報に基づいて、特定のタイムスロットで用いる受信制御情報を算出する受信ウェイト算出部としての機能を有する。
【００５１】
なお、専用プログラムは、記録媒体に記録されてもよい。この記録媒体は、ハードディスク、フレキシブルディスク、コンパクトディスク、ＩＣチップ、カセットテープなどが挙げられる。
【００５２】
以上、本発明の一例を説明したが、具体例を例示したに過ぎず、特に本発明を限定するものではなく、各部の具体的構成等は、適宜設計変更可能である。また、実施形態の構成及び各変更例の構成もそれぞれ組み合わせることが可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００５３】
【図１】本実施形態における無線基地局の内部構成を示す図である。
【図２】本実施形態における上り回線の受信用タイムスロット及び下り回線の送信用タイムスロットの内容を示す図である。
【図３】本実施形態における無線基地局の動作を示す図である。
【図４】本実施形態におけるフレーム内で算出された受信制御情報及び送信ウェイトベクトルの内容を示す図である。
【図５】本実施形態における上り回線の受信用タイムスロット及び下り回線の送信用タイムスロットを示す図である。
【図６】本実施形態における上り回線の受信用タイムスロット及び下り回線の送信用タイムスロットを示す図である。
【図７】上り回線の受信用タイムスロット及び下り回線の送信用タイムスロットを示す図である。
【符号の説明】
【００５４】
１１ａ，１１ｂ…アンテナ、１２ａ，１２ｂ…ＲＦ、１４ａ，１４ｂ…スイッチ、２１ａ1，２１ａ2…乗算部、２２…加算部、２３…受信ウェイトベクトル算出部、２４…メモリ、３１ａ1，３１ａ2…乗算部、３２…送信ウェイトベクトル算出部、３３…メモリ、１００…無線基地局
【図１】
2006287615.tif 000003
【図２】
2006287615.tif 000004
【図３】
2006287615.tif 000005
【図４】
2006287615.tif 000006
【図５】
2006287615.tif 000007
【図６】
2006287615.tif 000008
【図７】
2006287615.tif 000009